(57)【特許請求の範囲】
【請求項１】
幅方向に分割可能に構成された外フィルムと、シート状食品を介して外フィルムに重ね合わされるとともに、幅方向と直交する長さ方向の全長に亘って線状に延びる破断補助手段が形成され、該破断補助手段で破断することで外フィルムと同方向に分離可能に構成された内フィルムとを備え、長さ方向で全体を二つ折りにすることで対向する端部同士をシールして米飯加工食品を包装するように構成された包装材において、前記内フィルムは、前記破断補助手段の形成されたセンターフィルム部と、センターフィルム部の幅方向の両側端に連設され、幅方向に拡張可能に構成された一対の拡張フィルム部と、各拡張フィルム部の先端から幅方向外側に延出する一対のサイドフィルム部とを備え、各拡張フィルム部は、シート状食品側で幅方向外側から内側に向けて延出する内向片部と、該内向片部の先端から幅方向外側に向けて延出する外向片部とで構成される折返部を少なくとも一つ備え、前記センターフィルム部、拡張フィルム部、及びサイドフィルム部は、破断補助手段と同方向に延びる稜線を形成するように一枚のフィルムを曲げ加工することで一体的に形成されていることを特徴とする包装材。
【請求項２】
前記破断補助手段は、非貫通状態で形成されたハーフカットで構成されている請求項１に記載の包装材。
【請求項３】
幅方向に分割可能に構成された外フィルムと、シート状食品を介して外フィルムに重ね合わされ、外フィルムと同方向に分離可能に構成された内フィルムとを備え、幅方向と直交する長さ方向で全体を二つ折りにすることで対向する端部同士をシールして米飯加工食品を包装するように構成された包装材用の内フィルムであって、長さ方向の全長に亘って線状に延びる破断補助手段の形成されたセンターフィルム部と、センターフィルム部の幅方向の両側端に連設され、幅方向に拡張可能に構成された一対の拡張フィルム部と、各拡張フィルム部の先端から幅方向外側に延出する一対のサイドフィルム部とを備え、各拡張フィルム部は、幅方向外側から内側に向けて延出する内向片部と、該内向片部の先端から幅方向外側に向けて延出する外向片部とで構成される折返部を少なくとも一つ備え、前記センターフィルム部、拡張フィルム部、及びサイドフィルム部は、破断補助手段と同方向に延びる稜線を形成するように一枚のフィルムを曲げ加工することで一体的に形成されていることを特徴とする包装材用の内フィルム。
【請求項４】
前記破断補助手段は、非貫通状態で形成されたハーフカットで構成されている請求項３に記載の包装材用の内フィルム。
【発明の詳細な説明】
【技術分野】
【０００１】
本発明は、米飯加工食品を包装するための包装材及び包装材用の内フィルムに関する。
【背景技術】
【０００２】
従来から、米飯を塊状に加工した米飯加工食品を包装する包装材として、種々のものが提供されているが、近年においては、米飯加工食品と海苔や薄焼き卵等のシート状食品とを分離した状態で包装しつつも、開封時に米飯加工食品とシート状食品とを一体的にして一緒に食すことのできる状態になるものが主流になっている。
【０００３】
かかる包装材は、図１２及び図１３に示す如く、幅方向に分割可能に構成された外フィルム５０と、シート状食品Ｂを介して外フィルム５０に重ね合わされ、外フィルム５０の分割方向と同方向に分離可能に構成された内フィルム５１とを備えている。なお、各図においてクロスハッチングを付した領域がシールされた部分、或いはシールされる部分である。
【０００４】
外フィルム５０は、一般的に幅方向の中央に該外フィルム５０を切断（分割）するための線状又は帯状の切断補助手段５２（例えば、カットテープ）が幅方向と直交する長さ方向の全長に亘って設けられるとともに、長さ方向の少なくとも一端部に前記切断補助手段５２を含んだ摘持部５３が形成されている。これにより、外フィルム５０は、摘持部５３を摘持したときに切断補助手段５２の端部も一緒に摘持した状態となり、該摘持部５３を引っ張ることで切断補助手段５２に誘導されつつ長さ方向に切断されて幅方向に二分割できるようになっている。
【０００５】
他方、内フィルム５１は、開封時に外フィルム５０と同方向に分離できるように幅方向に二枚のフィルムを並列に配置したものが主流であったが（例えば、特許文献１参照）、このようにすると、二枚のフィルム間を介して米飯加工食品Ａの水分がシート状食品Ｂに到達し、シート状食品Ｂの味や食感を低下させるという理由から、一枚のフィルムに対して幅方向と直交する長さ方向に線状に延びるハーフカットやミシン目等の破断補助手段５４を形成し、その破断補助手段５４で破断することにより幅方向に分離できるようになったものが提供されつつある。
【０００６】
上記構成の包装材は、内フィルム５１上に米飯加工食品Ａを配置した状態で、長さ方向で二つ折りにして対向する端部同士をヒートシールすることで、米飯加工食品Ａとシート状食品Ｂとを内フィルム５１で分離した状態にして包装できるようになっている。
【０００７】
そして、該包装材は、外フィルム５０を長さ方向に切断した上で幅方向に引っ張ることで、二分割された外フィルム５０を幅方向に離間させるとともに、内フィルム５１を破断補助手段５４で破断させて幅方向に離間（分離）させるようになっている。これにより、シート状食品Ｂと米飯加工食品Ａとの間から内フィルム５１（二枚のフィルム）が引き抜かれ、開封に併せてシート状食品Ｂと米飯加工食品Ａとを一体的にして食すことのできる状態になるようになっている。
【特許文献１】特開平０８−２４２７８９号公報
【発明の開示】
【発明が解決しようとする課題】
【０００８】
しかしながら、上記構成の包装材は、図１４に示す如く、内フィルム５１を破断補助手段５４で破断させるのに必要な引っ張り力Ｆや、内フィルム５１を引き抜くのに必要な引っ張り力（米飯加工食品Ａと内フィルム５１との接触抵抗に勝る引っ張り力）Ｆを作用させるに際し、二つ折りにすることで対向した内フィルム５１によって米飯加工食品Ａを挟み込む力Ｆａ，Ｆａが大きく作用し、米飯加工食品Ａが割れたり型くずれを起こしたりするといった問題がある。すなわち、上記構成の包装材は、開封時における引っ張り力Ｆの作用方向に対し、その引っ張り位置（作用点）Ｐａと内フィルム５１における米飯加工食品Ａに対する接触点Ｐｂとの間の内フィルム５１の角度α°が大きくなるため、対向した内フィルム５１によって米飯加工食品Ａを挟み込む力Ｆａ，Ｆａ（接触点Ｐｂで引っ張り力Ｆと反対向きに作用する力Ｆｂの分力Ｆａ）が大きく作用した状態で内フィルム５１が引き抜かれてしまい、開封時に米飯加工食品Ａが型くずれしたり割れたりするといった問題があった。
【０００９】
特に、米飯加工食品Ａが三角おにぎりの場合、角部が型くずれや割れの生じやすい部位であるため、上述のように内フィルム５１による挟み込みが生じると三角おにぎりの角部の型くずれや割れが顕著である。
【００１０】
具体的には、通常、長さ方向に二つ折りにした包装材の折曲部分に三角おにぎりの幅広な部分（二つの角部間）が存在する。このため、引っ張りの作用点Ｐａと内フィルム５１における三角おにぎりの角部に接触する接触点Ｐｂとの間は、距離が最も短くなり、引っ張り力Ｆの作用方向に対する角度α°が最大になり、包装材を幅方向に引っ張る際の内フィルム５１の三角おにぎり（角部）を挟み込む力Ｆａが大きくなる。
【００１１】
そうすると、三角おにぎりの角部は、型くずれや割れの生じやすい部位であるにも拘わらず、内フィルム５１に大きな力Ｆａ，Ｆａを生じさせて挟まれることになり、幅方向に引っ張ったときに三角おにぎりの角部の型くずれや割れが顕著になってしまう。
【００１２】
また、外フィルム５０に対しても同様の力が作用するため、外フィルム５０と内フィルム５１との間に介装されたシート状食品Ｂがこれらのフィルム５０，５１に挟み込まれた状態で引っ張られてしまい、シート状食品Ｂが破れてしまうといった問題があった。
【００１３】
そこで、本発明は、斯かる実情に鑑み、開封時に米飯加工食品が型くずれ等を起こしたり、シート状食品が破れたりするのを抑制することのできる包装材、及び包装材用の内フィルムを提供することを課題とする。
【課題を解決するための手段】
【００１４】
本発明に係る包装材は、幅方向に分割可能に構成された外フィルムと、シート状食品を介して外フィルムに重ね合わされるとともに、幅方向と直交する長さ方向の全長に亘って線状に延びる破断補助手段が形成され、該破断補助手段で破断することで外フィルムと同方向に分離可能に構成された内フィルムとを備え、長さ方向で全体を二つ折りにすることで対向する端部同士をシールして米飯加工食品を包装するように構成された包装材において、前記内フィルムは、前記破断補助手段の形成されたセンターフィルム部と、センターフィルム部の幅方向の両側端に連設され、幅方向に拡張可能に構成された一対の拡張フィルム部と、各拡張フィルム部の先端から幅方向外側に延出する一対のサイドフィルム部とを備え、各拡張フィルム部は、シート状食品側で幅方向外側から内側に向けて延出する内向片部と、該内向片部の先端から幅方向外側に向けて延出する外向片部とで構成される折返部を少なくとも一つ備え、前記センターフィルム部、拡張フィルム部、及びサイドフィルム部は、破断補助手段と同方向に延びる稜線を形成するように一枚のフィルムを曲げ加工することで一体的に形成されていることを特徴とする。
【００１５】
上記構成の包装材によれば、内フィルムが、破断補助手段の形成されたセンターフィルム部と、センターフィルム部の幅方向の両側端に連設された一対の拡張フィルム部と、各拡張フィルム部の先端から幅方向外側に延出する一対のサイドフィルム部とを備えているので、外フィルムを幅方向に分割して幅方向に引っ張るに際し、分割された外フィルムが離間するのに併せて、内フィルムにおいては拡張フィルム部が幅方向に広がることになる。
【００１６】
そうすると、引っ張りの作用点（包装材の幅方向の端部）と、内フィルムにおける米飯加工食品に対する接触点との距離が長くなる結果、開封時における引っ張り力の作用方向に対し、その引っ張りの作用点と内フィルムにおける米飯加工食品に対する接触点との間の内フィルムの角度が小さくなる。
【００１７】
これにより、内フィルムを破断補助手段で破断させたり、内フィルムを引き抜いたりするために幅方向に引っ張り力を作用させても、内フィルムにおける米飯加工食品に対する接触点で該米飯加工食品を挟み込むように作用する力が小さくなる結果、内フィルムが大きな力を作用させつつ米飯加工食品を挟み込んだ状態で引く抜かれることがなく、米飯加工食品が型くずれしたり割れたりすることが抑制される。
【００１８】
また、破断補助手段を破断させるときや内フィルムを引き抜くときには、分割された外フィルムが既に離間した状態になっているため、外フィルムとシート状食品との重なりが少ない状態、或いは重なりがない状態となる。これにより、内フィルムを引き抜く際にシート状食品が幅方向に強引に引っ張られることがなく、開封時にシート状食品が破れてしまうことも抑制される。
【００１９】
そして、上記構成の包装材によれば、幅方向の引っ張り力の作用で内向片部が先端側から順々に外向片部側に折り返されて拡張フィルム部が幅方向に拡張し、最終的にセンターフィルム部、拡張フィルム部（折返部）、及びサイドフィルム部が一列に並んだ状態となる。これにより、分割された外フィルムが離間するのに併せて、内フィルムが幅方向に広がるので、引っ張りの作用点と内フィルムにおける米飯加工食品に対する接触点との間の内フィルムの角度が小さくなり、内フィルムにおける米飯加工食品に対する接触点で該米飯加工食品を挟み込むように作用する力を小さくすることができる。
【００２０】
さらに、上記構成の包装材によれば、フィルムを貼り合わせる等といった煩雑な工程を得ることなく、上述の作用が生じる内フィルムを作製することができる。また、稜線を形成するように一枚のフィルムを曲げ加工すると、上述のように拡張フィルム部が拡張する際（内向片部が折り返される際）に、内向片部と外向片部との境界に形成される稜線が内向片部内で移行するような態様となるため、内フィルムを円滑に拡張させることができる。
【００２１】
そして、前記破断補助手段は、非貫通状態で形成されたハーフカットで構成されていることが好ましい。このようにすれば、内フィルムを容易に分離させることができる上に、米飯加工食品側とシート状食品側とが連通する部位が一切形成されないため、米飯加工食品の水分がシート状食品に到達することを確実に阻止することができる。
【００２２】
そして、本発明に係る包装材用の内フィルムは、幅方向に分割可能に構成された外フィルムと、シート状食品を介して外フィルムに重ね合わされ、外フィルムと同方向に分離可能に構成された内フィルムとを備え、幅方向と直交する長さ方向で全体を二つ折りにすることで対向する端部同士をシールして米飯加工食品を包装するように構成された包装材用の内フィルムであって、長さ方向の全長に亘って線状に延びる破断補助手段の形成されたセンターフィルム部と、センターフィルム部の幅方向の両側端に連設され、幅方向に拡張可能に構成された一対の拡張フィルム部と、各拡張フィルム部の先端から幅方向外側に延出する一対のサイドフィルム部とを備え、各拡張フィルム部は、幅方向外側から内側に向けて延出する内向片部と、該内向片部の先端から幅方向外側に向けて延出する外向片部とで構成される折返部を少なくとも一つ備え、前記センターフィルム部、拡張フィルム部、及びサイドフィルム部は、破断補助手段と同方向に延びる稜線を形成するように一枚のフィルムを曲げ加工することで一体的に形成されていることを特徴とする。
【００２３】
上記構成の包装材用の内フィルムによれば、破断補助手段の形成されたセンターフィルム部と、センターフィルム部の幅方向の両側端に連設された一対の拡張フィルム部と、各拡張フィルム部の先端から幅方向外側に延出する一対のサイドフィルム部とを備えているので、外フィルムに重ね合わせて包装材とした上で該外フィルムを幅方向に分割して幅方向に引っ張るに際し、分割された外フィルムが離間するのに併せて、内フィルムにおいては拡張フィルム部が幅方向に広がることになる。
【００２４】
そうすると、引っ張りの作用点（包装材の幅方向の端部）と、内フィルムにおける米飯加工食品に対する接触点との距離が長くなる結果、開封時における引っ張り力の作用方向に対し、その引っ張りの作用点と内フィルムにおける米飯加工食品に対する接触点との間の内フィルムの角度が小さくなる。
【００２５】
これにより、内フィルムを破断補助手段で破断させたり、内フィルムを引き抜いたりするために幅方向に引っ張り力を作用させても、内フィルムにおける米飯加工食品に対する接触点で該米飯加工食品を挟み込むように作用する力が小さくなる結果、内フィルムが大きな力を作用させつつ米飯加工食品を挟み込んだ状態で引く抜かれることがなく、米飯加工食品が型くずれしたり割れたりすることが抑制される。
【００２６】
また、破断補助手段を破断させるときや内フィルムを引き抜くときには、分割された外フィルムが既に離間した状態になっているため、外フィルムとシート状食品との重なりが少ない状態、或いは重なりがない状態となる。これにより、内フィルムを引き抜く際にシート状食品が幅方向に強引に引っ張られることがなく、開封時にシート状食品が破れてしまうことも抑制される。
【００２７】
そして、上記構成の包装材用の内フィルムによれば、幅方向の引っ張り力の作用で内向片部が先端側から順々に外向片部側に折り返されて拡張フィルム部が幅方向に拡張し、最終的にセンターフィルム部、拡張フィルム部（折返部）、及びサイドフィルム部が一列に並んだ状態となる。これにより、分割された外フィルムが離間するのに併せて、内フィルムが幅方向に広がるので、引っ張りの作用点と内フィルムにおける米飯加工食品に対する接触点との間の内フィルムの角度が小さくなり、内フィルムにおける米飯加工食品に対する接触点で該米飯加工食品を挟み込むように作用する力を小さくすることができる。
【００２８】
さらに、上記構成の包装材用の内フィルムによれば、フィルムを貼り合わせる等といった煩雑な工程を得ることなく、上述の作用が生じる内フィルムを作製することができる。また、稜線を形成するように一枚のフィルムを曲げ加工すると、上述のように拡張フィルム部が拡張する際（内向片部が折り返される際）に、内向片部と外向片部との境界に形成される稜線が内向片部内で移行するような態様となるため、内フィルムを円滑に拡張させることができる。
【００２９】
そして、前記破断補助手段は、非貫通状態で形成されたハーフカットで構成されていることが好ましい。このようにすれば、内フィルムを容易に分離させることができる上に、米飯加工食品側とシート状食品側とが連通する部位が一切形成されないため、米飯加工食品の水分がシート状食品に到達することを確実に阻止することができる。
【発明の効果】
【００３０】
以上のように、本発明に係る包装材及び包装材用の内フィルムによれば、開封時に米飯加工食品が型くずれ等を起こしたり、シート状食品が破れたりするのを抑制することができるという優れた効果を奏し得る。
【発明を実施するための最良の形態】
【００３１】
以下、本発明の一実施形態に係る包装材について、添付図面を参照しつつ説明する。
【００３２】
本実施形態に係る包装材は、図１に示す如く、おにぎりや寿司等の米飯加工食品（本実施形態においては、三角おにぎり）Ａと、シート状にされた海苔や薄焼き卵、畳鰯等のシート状食品（本実施形態においては、海苔）Ｂとを分離した状態で包装するもので、図２、図３（ａ）及び図３（ｂ）に示す如く、幅方向に分割可能に構成された外フィルム１０と、シート状食品Ｂを介して外フィルム１０に重ね合わされ、外フィルム１０の分割方向と同方向に分離可能に構成された内フィルム２０とを備えている。該包装材１は、外フィルム１０と内フィルム２０とがシート状食品Ｂを囲むようにシールされ、前記内フィルム２０を内側にして米飯加工食品Ａを包むように構成されている（図１参照）。なお、各図においてクロスハッチングを付した領域がシールされた部分、或いはシールされる部分である。
【００３３】
本実施形態に係る外フィルム１０は、平面視略長方形状に形成されており、長手方向（長さ方向）と直交する短手方向（幅方向）に分割可能に構成されている。より具体的には、前記外フィルム１０には、長さ方向の全長に亘って線状又は帯状に延びる切断補助手段１００ａ，１００ｂが設けられている。本実施形態において、切断補助手段１００ａ，１００ｂは、外フィルム１０の幅方向に間隔をあけて二条設けられている。
【００３４】
切断補助手段１００ａ，１００ｂのそれぞれは、外フィルム１０の長さ方向の全長に亘って連続的に設けられており、本実施形態においては、外フィルム１０に対して貼着された帯状のカットテープで構成されている。
【００３５】
該二条のカットテープ１００ａ，１００ｂは、外フィルム１０の長さ方向に延びる中心線ＣＬを基準にして対称になるように設けられ、外フィルム１０の長さ方向の少なくとも一部に互いが離間して間隔を拡大させた拡大部１０１を形成している。
【００３６】
本実施形態に係る包装材１は、前記内フィルム２０を内側にして米飯加工食品Ａを包むに際し、積層状態にある外フィルム１０及び内フィルム２０を該外フィルム１０の長さ方向で二つ折りにして互いに対向する端部同士をシールするように構成されており、この包装形態を前提に、前記二条のカットテープ１００ａ，１００ｂは、長さ方向の略中央位置に前記拡大部１０１を形成するように設けられている。
【００３７】
すなわち、本実施形態において、前記二条のカットテープ１００ａ，１００ｂは、外フィルム１０の長さ方向の両端部で最小間隔をあけるように設けられるとともに、該両端部から外フィルム１０の長さ方向の中央に向けて間隔が徐々に拡大し、該長さ方向の中央部で最大間隔となる拡大部１０１を形成するように設けられている。
【００３８】
該外フィルム１０は、長さ方向の少なくとも一端部に二条のカットテープ１００ａ，１００ｂに跨る摘持部１０２が設けられている。本実施形態に係る外フィルム１０は、長さ方向の両端部に二条のカットテープ１００ａ，１００ｂを介在させるように一対の切込部１０３，１０３が設けられており、該一対の切込部１０３，１０３間に摘持部１０２が形成されている。そして、外フィルム１０の長さ方向の両端部には、中央部（切込部１０３，１０３間）が切欠かれて外側切欠部１０４，１０４が形成されている。該外側切欠部１０４，１０４は、内フィルム２０に対して後述する破断用切欠部２０１，２０１を形成するに際して積層した外フィルム１０を一緒に切断することによって形成されるものである。
【００３９】
本実施形態に係る外フィルム１０は、上述の如く、外フィルム１０及び内フィルム２０を二つ折りにして互いに対向する端部同士をシールする包装形態を前提に、両側端部の長さ方向の中央部が切り欠かれて折込用外側切欠部（Ｖカット）１０５，１０５が形成されている。
【００４０】
前記内フィルム（包装材用の内フィルム）２０は、外フィルム１０と同様に平面視略長方形状に形成されており、外フィルム１０と略同サイズに設定されている。該内フィルム２０は、一枚のフィルムで構成されており、長手をなす長さ方向の全長に亘って延びる線状の破断補助手段２００が設けられている。
【００４１】
本実施形態において、前記破断補助手段２００には、ハーフカットが採用されている。これにより、該内フィルム２０は、ハーフカット２００で破断する（裂ける）ことで、幅方向に分離（分割）するようになっている。前記ハーフカット２００は、局部的に強度を弱めるべく、周囲の厚みよりも薄くなった部分で線状に延びるように形成され、本実施形態においては、内フィルム２０の長さ方向の全長に亘って直線状に形成されている。なお、ハーフカット２００は、非貫通状態になるようにフィルムを線状に溶かしたり、型押ししたりすることで形成される。
【００４２】
本実施形態に係る内フィルム２０は、図４に示す如く、前記ハーフカット（破断補助手段）２００の形成されたセンターフィルム部２０ａと、センターフィルム部２０ａの幅方向の両側端に連設され、幅方向に拡張可能に構成された一対の拡張フィルム部２０ｂ，２０ｂと、各拡張フィルム部２０ｂ，２０ｂの先端から幅方向外側に延出する一対のサイドフィルム部２０ｃ，２０ｃとを備えている。
【００４３】
前記センターフィルム部２０ａは、長方形状に形成されており、前記ハーフカット２００が長手方向に延びるように形成されている。本実施形態において、センターフィルム部２０ａは、幅方向（長手方向と直交する短手方向）の中央位置に前記ハーフカット２００が形成されており、該ハーフカット２００を基準にその両側の領域が対称になるように形成されている。
【００４４】
前記一対の拡張フィルム部２０ｂ，２０ｂは、シート状食品Ｂ側で幅方向外側から内側に向けて延出する内向片部２１１と、該内向片部２１１の先端から幅方向外側に向けて延出する外向片部２１２とで構成される折返部２１０を少なくとも一つ備える。本実施形態において、各拡張フィルム部２０ｂ，２０ｂは、折返部２１０が一つ設けられている。
【００４５】
該折返部２１０は、内向片部２１１及び外向片部２１２のそれぞれが帯状をなし、該内向片部２１１及び外向片部２１２のそれぞれは、長手方向に延びる一方の側端同士が接続されて互いに対向し、内向片部２１１の他方の側端がセンターフィルム部２０ａの側端に接続され、外向片部２１２の他方の側端がサイドフィルム部２０ｃに接続されている。本実施形態に係る内フィルム２０は、ハーフカット２００と同方向に延びる稜線Ｌａ，Ｌｂを形成するように一枚のフィルムを曲げ加工することで形成されており、センターフィルム部２０ａと拡張フィルム部２０ｂ（内向片部２１１）との境界に第一の稜線Ｌａが形成され、また、折返部２１０（内向片部２１１と外向片部２１２との境界）に第二の稜線Ｌｂが形成されている。
【００４６】
そして、各拡張フィルム部２０ｂ，２０ｂの折返部２１０（内向片部２１１及び外向片部２１２）は、センターフィルム部２０ａの幅方向の長さの半分よりも短く設定されている。すなわち、一方の拡張フィルム部２０ｂに対して他方の拡張フィルム部２０ｂが重ならないように、折返部２１０（内向片部２１１及び外向片部２１２）のサイズ（長さ）が設定されている。
【００４７】
前記一対のサイドフィルム部２０ｃ，２０ｃは、それぞれ長方形状に形成されており、長手方向に延びる一方の側端（基端）が拡張フィルム部２０ｂ，２０ｂの先端（外向片部２１２の先端（他方の側端））に接続されている。そして、一対のサイドフィルム部２０ｃ，２０ｃは、それぞれの他方の側端（先端）が内フィルム２０の幅方向の両側端となるように形成されている。
【００４８】
図２、図３（ａ）及び図３（ｂ）に戻り、本実施形態に係る内フィルム２０は、長さ方向の両端部にハーフカット２００の配置に対応して破断用切欠部（切欠部）２０１，２０１が設けられている。かかる破断用切欠部２０１，２０１は、内フィルム２０の幅方向に真っ直ぐに延びる端縁に対して内側（内フィルム２０の中央側）に窪むように形成されていればよく、本実施形態においては半円状に形成されている。
【００４９】
そして、該内フィルム２０についても、上述の如く、外フィルム１０及び内フィルム２０を二つ折りにして互いに対向する端部同士をシールする包装形態を前提に、両側端部の長さ方向の中央部が切り欠かれて折込用内側切欠部（Ｖカット）２０２，２０２が形成されている。本実施形態においては、内フィルム２０と外フィルム１０とが略同サイズに設定され、互いの外周端部が重なりあうように積層されることを前提に、内フィルム２０の折込用内側切欠部２０２，２０２は、外フィルム１０の折込用外側切欠部１０５，１０５に対応した配置及び形状に設定されている。
【００５０】
そして、本実施形態に係る包装材１は、シート状食品Ｂを介して内フィルム２０と外フィルム１０とを積層した上で、シート状食品Ｂを包囲するように外フィルム１０と内フィルム２０とがシールされている。なお、摘持部１０２のある長さ方向の両端側においては、摘持部１０２を躱すように該摘持部１０２（一対の切込部１０３，１０３）よりも内側でシールされている。これにより、外フィルム１０は、長さ方向の両端側において、外フィルム１０の長さ方向の全長に亘って設けられた二条のカットテープ１００ａ，１００ｂに対して交差するように内フィルム２０に対してシールされている。また、内フィルム２０は、長さ方向の両端側において、第一の稜線Ｌａ及び第二の稜線Ｌｂに対して交差するように外フィルム１０に対してシールされ、これに伴って、折返部２００（拡張フィルム部２０ｂ）がセンターフィルム部２０ａにシールされている。
【００５１】
本実施形態に係る包装材１は、以上の構成からなり、該包装材１が複数連続する包装材用原反を所定長さに順次切断することで作製される。具体的には、図５（ａ）に示す如く、外フィルム１０の幅に対応した幅に設定された長尺フィルムＦ１に対し、二条のテープ（カットテープ１００ａ，１００ｂの連続体）１００ａ’，１００ｂ’が長手方向に連続的に貼着される。このとき、長手方向に移動する長尺フィルムＦ１に対し、長尺な二本のテープ１００ａ’，１００ｂ’が同方向に移動しながら所定位置を通過する際に長手方向と直交する短手方向で互いに接離しながら貼着される。このように長尺フィルムＦ１に対して二本のテープ１００ａ’，１００ｂ’が貼着されることにより、外フィルム１０の連続体である外フィルム用原反１０’が作製される。
【００５２】
これに対し、図５（ｂ）に示す如く、内フィルム２０の幅に対応した幅に設定された長尺フィルムＦ２に対して長手方向の延びるハーフカット２００’を形成し、該ハーフカット２００’と同方向に延びる稜線Ｌａ’（Ｌａ…），Ｌｂ’（Ｌａ…）を形成するように長尺フィルムＦ２を曲げ加工し、内フィルム２０の連続体である内フィルム用原反２０’が作製される。すなわち、長手方向に延びる稜線Ｌａ’（Ｌａ…），Ｌｂ’（Ｌａ…）を形成するようにハーフカット２００’の形成された長尺フィルムＦ２を短手方向で折り曲げることにより、ハーフカット２００’が長手方向に形成され、前記センターフィルム部２０ａの連続部分となるセンタ帯部２０ａ’（２０ａ…）と、該センタ帯部２０ａ’の両側端（短手方向の両端）に連設され、前記拡張フィルム部２０ｂ，２０ｂの連続部分となる一対の拡張部２０ｂ’，２０ｂ’（２０ｂ…，２０ｂ…）と、各拡張部２０ｂ’，２０ｂ’（２０ｂ…，２０ｂ…）の先端（短手方向の一端）から短手方向の外側に向けて延出し、前記サイドフィルム部２０ｃ，２０ｃの連続部分となる一対のサイド帯部２０ｃ’，２０ｃ’（２０ｃ…，２０ｃ…）とが形成された内フィルム用原反２０’が作製される。
【００５３】
そして、図６に示す如く、シート状食品Ｂを介して外フィルム用原反１０’に内フィルム用原反２０’を重ね合わせる。すなわち、外フィルム用原反１０’に対して内フィルム用原反２０’を重ね合わせるに際し、外フィルム用原反１０’及び内フィルム用原反２０’を長手方向に供給し、所定間隔毎に平面視長方形状をなすシート状食品Ｂを外フィルム用原反１０’又は内フィルム用原反２０’の何れか一方の上に供給しつつ、該シート状食品Ｂを挟むように外フィルム用原反１０’と内フィルム用原反２０’とを重ね合わせる。
【００５４】
このとき、シート状食品Ｂは、長手方向を外フィルム用原反１０’及び内フィルム用原反２０’（長尺フィルムＦ１，Ｆ２）の長手方向に合わせるとともに、二本のテープ１００ａ’，１００ｂ’の間隔が最大になる位置（包装材１の拡大部１０１となる位置）に長手方向の略中央位置が対応するように、外フィルム用原反１０’又は内フィルム用原反２０’の何れか一方の上に供給される。
【００５５】
そして、各シート状食品Ｂを包囲するように、外フィルム用原反１０’及び内フィルム用原反２０’がシールされて包装材１の連続体である包装材用原反１’が作製され、該包装材用原反１’を所定長さで切断する（シート状食品Ｂ，Ｂ間を切断する）ことで上記構成の包装材１が順次作製される。
【００５６】
そして、上記構成の包装材１で米飯加工食品Ａを包装するには、まず、図７（ａ）に示す如く、内フィルム２０上に米飯加工食品Ａを配置し、図７（ｂ）に示す如く、包装材１（外フィルム１０及び内フィルム２０）を長さ方向に二つ折りにする。この状態で、拡大部１０１に対応する領域（折込用外側切欠部１０５，１０５間の領域及び折込用内側切欠部２０２，２０２間の領域）が米飯加工食品Ａの厚みに対応して起立した状態になり、当該領域の両側が米飯加工食品Ａを介して対向した状態になる。
【００５７】
しかる後、図７（ｃ）に示す如く、二つ折りにすることで互いに対向する幅方向の両側端部を折り曲げて相手側の側端部に重ね合わせるとともに、その重ね合わせた側端部同士をシールする。
【００５８】
この状態で、長さ方向の両端部が開口を形成するとともに、外フィルム１０及び内フィルム２０の長さ方向の中央位置の両側端（折込用外側切欠部１０５，１０５及び折込用内側切欠部２０２，２０２に対応する部位）が側端部の折り込みによって三角形状をなした突片状をなす。なお、本実施形態に係る包装材１は、外フィルム１０及び内フィルム２０の長さ方向の中央位置の両側端部に折込用外側切欠部１０５，１０５及び折込用内側切欠部２０２，２０２を設けているので、当該部分に対する不必要な折り畳みを行うことなく体裁のよい突片が形成される。
【００５９】
そして、図７（ｄ）に示す如く、摘持部１０２を躱すように、開口を形成した外フィルム１０及び内フィルム２０の長さ方向の両端部を摘持部１０２よりも内側（米飯加工食品Ａ）側で線状又は帯状にシールすることで開口を閉塞する。これにより、シート状食品Ｂと米飯加工食品Ａとの間に内フィルム２０を介装した状態、すなわち、シート状食品Ｂと米飯加工食品Ａとが分離状態で包装される。
【００６０】
そして、上記態様で米飯加工食品Ａを包装した包装材１を開封するには、図８（ａ）に示す如く、摘持部１０２を持って外フィルム１０を長さ方向に引っ張り、外フィルム１０を長さ方向に切断する。このとき、外フィルム１０は、二条のカットテープ１００ａ，１００ｂによって誘導されつつ切断される（裂ける）ことになり、その結果、図８（ｂ）に示す如く、外フィルム１０の幅方向の中央の領域が長さ方向の全長に亘って切除される。すなわち、外フィルム１０は、カットテープ１００ａ，１００ｂの貼着態様に対応して、切除される部位が長さ方向の中央位置側（二つ折りによる折り曲げ部分）に向けて拡大し、拡大部１０１と対応する部分において最大に開口する。これにより、シート状食品Ｂが外フィルム１０と内フィルム２０とに挟まれた部分が少なくなった状態となる。
【００６１】
そして、本実施形態の包装材１は、内フィルム２０が長さ方向の両端側が線状又は帯状にシールされることで、そのシール部分に位置する拡張フィルム部２０ｂ（折返部２００）はセンターフィルム部２０ａに対して重なった状態で一体化されているため、図８（ｃ）に示す如く、外フィルム１０及び内フィルム２０の長さ方向の両端部（重なりあった両端部）の両側を幅方向に引っ張ると、その引っ張り力が内フィルム２０の長さ方向の両端部に設けた破断用切欠部２０１，２０１に集中的に作用する。
【００６２】
そうすると、ハーフカット２００が溝状をなして応力（力）が集中的に作用する態様であり、さらにハーフカット２００に対応する部位の厚みが周囲の厚みよりも薄くて強度が弱いため、破断用切欠部２０１，２０１に集中した引っ張り力がハーフカット２００に集中的に作用して当該部分が破断し始める（裂け始める）ことになる。
【００６３】
そして、長さ方向の両端側でシールされた部分以外の拡張フィルム部２０ｂは、単にセンターフィルム部２０ａに重なり合った状態であるため、包装材１を幅方向に引っ張り続けると、図９（ａ）乃至図９（ｃ）に示す如く、引っ張り力Ｆは、二分された外フィルム１０を離間させる一方で、ハーフカット２００を破断させることなく内フィルム２０の拡張フィルム部２０ｂを幅方向に拡張させることになる。すなわち、包装材１を幅方向に引っ張るに際し、分割された外フィルム１０が離間するのに併せて、拡張フィルム部２０ｂ（折返部２１０）の内向片部２１１が外向片部２１２に引っ張られて先端側から幅方向外側に順々に折り返されることになる。本実施形態においては、フィルムを曲げ加工して内向片部２１１と外向片部２１１との境界に第二の稜線Ｌｂが形成されているため、該第二の稜線Ｌｂが第一の稜線Ｌａ側に移行するような態様で内向片部２１１がセンターフィルム部２０ａから捲れるような態様となる。
【００６４】
その結果、内フィルム２０は、拡張フィルム部２０ｂが引き延ばされてセンターフィルム部２０ａ、拡張フィルム部２０ｂ，２０ｂ、サイドフィルム部２０ｃ，２０ｃが一列に並んだ状態になる。そうすると、図１０に示す如く、開封時における引っ張り力Ｆの作用方向に対し、その引っ張りの作用点Ｐａと内フィルム５１における米飯加工食品Ａに対する接触点Ｐｂとの間の内フィルム２０の角度α°が小さくなる。これにより、内フィルム２０をハーフカット２００で破断させるために幅方向に引っ張り力Ｆを作用させたり、破断した内フィルム２０を引き抜くために幅方向に引っ張り力Ｆをさせたりしても、接触点Ｐｂで米飯加工食品Ａを挟み込むように作用する力Ｆａ，Ｆａ（接触点Ｐｂで引っ張り力Ｆと反対向きに作用する力Ｆｂに対して直交方向に作用する分力Ｆａ）が小さくなる結果、内フィルム２０が大きな力を作用させつつ米飯加工食品Ａを挟み込んだ状態で引く抜かれることがなく、米飯加工食品が型くずれしたり割れたりすることが抑制される。
【００６５】
また、内フィルム２０がハーフカット２００で破断するときや、内フィルム２０が引き抜かれるときには、分割された外フィルム１０が既に離間し、シート状食品Ｂと対向する領域が少なく或いは無くなっているため、シート状食品Ｂが外フィルム１０と内フィルム２０とに挟まれた状態で幅方向に引っ張られにくくなり、シート状食品Ｂが破れてしまうことも抑制される。
【００６６】
そして、図８（ｄ）に示す如く、米飯加工食品Ａとシート状食品Ｂとの間に介在する内フィルム２０が引き抜かれて米飯加工食品Ａとシート状食品Ｂとが一体的になり、これらを一体的に食すことのできる状態となる。
【００６７】
以上のように、本実施形態に係る包装材１によれば、外フィルム１０に重ね合わされる内フィルム（包装材用の内フィルム）２０が、前記破断補助手段２００の形成されたセンターフィルム部２０ａと、センターフィルム部２０ａの幅方向の両側端に連設された一対の拡張フィルム部２０ｂ，２０ｂと、各拡張フィルム部２０ｂ，２０ｂの先端から幅方向外側に延出する一対のサイドフィルム部２０ｃ，２０ｃとを備えているので、外フィルム１０を幅方向に分割して幅方向に引っ張るに際し、分割された外フィルム１０が離間するに併せて、内フィルム２０を幅方向に拡張させて引っ張りの作用点Ｐａ（包装材の幅方向の端部）と、内フィルム２０における米飯加工食品Ａに対する接触点Ｐｂとの距離を長くすることができる。特に、本実施形態に係る包装材１は、拡張フィルム部２０ｂに内向片部２１１及び外向片部２１２を有する折返部２１０を設けるようにしたので、内フィルム２０の幅方向の拡張を円滑に行うことができる。
【００６８】
これにより、内フィルム２０を破断補助手段２００で破断させるために幅方向に引っ張り力を作用させても、大きな力を作用させつつ米飯加工食品Ａを挟み込んだ状態で内フィルム２０が引く抜かれることがなく、米飯加工食品Ａが型くずれしたり割れたりすることが抑制される。特に、米飯加工食品Ａが型くずれや割れの生じやすい角部を有する三角おにぎりである場合に有用である。
【００６９】
また、破断補助手段２００を破断させるときや内フィルム２０を引き抜くときには、分割された外フィルム１０が既に離間した状態になっているため、シート状食品Ｂとの重なりが少ない、或いは重なりがない状態にすることができ、開封時にシート状食品Ｂが破れてしまうことを防止することができる。
【００７０】
さらに、破断補助手段２００と同方向に延びる稜線Ｌａ，Ｌｂを形成するように一枚のフィルムを曲げ加工することでセンターフィルム部２０ａ、拡張フィルム部２０ｂ、及びサイドフィルム部２０ｃを一体的に形成したので、フィルムを貼り合わせる等といった煩雑な工程を得ることなく、上述の作用が生じる内フィルム２０を作製することができる。また、稜線Ｌａ，Ｌｂを形成するように一枚のフィルムを曲げ加工すると、上述のように拡張フィルム部２０ｂが拡張する際（内向片部２１１が折り返される際）に、内向片部２１１と外向片部２１２との境界に形成される稜線Ｌｂが内向片部２１１内で移行するような態様となるため、内フィルム２０を円滑に拡張させることができる。
【００７１】
そして、前記破断補助手段２００が内フィルム２０に対して非貫通状態で形成されたハーフカットで構成されているので、内フィルム２０をより円滑に分離させることができる。その上、米飯加工食品Ａ側とシート状食品Ｂ側とが連通する部位が一切形成されないため、米飯加工食品Ａの水分がシート状食品Ｂに到達することを確実に阻止することができ、シート状食品Ｂ本来の味や食感を味わうことができる。
【００７２】
尚、本発明は、上記実施形態に限定されるものではなく、本発明の要旨を逸脱しない範囲内において種々変更を加え得ることは勿論である。
【００７３】
上記実施形態において、破断補助手段２００としてハーフカットを採用したが、これに限定されるものではなく、例えば、破断補助手段２００をミシン目で構成してもよい。この場合、米飯加工食品Ａの水分の通過を考慮すれば、ミシン目の目を細かくして水分を通過しにくくすることが好ましい。なお、米飯加工食品Ａの水分を内フィルム２０で完全に遮断するには、上記実施形態と同様に非貫通状態のハーフカットで破断補助手段２００を構成することが好ましいことは言うまでもない。
【００７４】
上記実施形態において、一対の拡張フィルム部２０ｂ，２０ｂのそれぞれに一つの折返部２１０を設けたが、これに限定されるものではなく、例えば、図１１に示す如く、フィルムを蛇腹折りして複数の折返部２１０を連続して形成してもよい。このようにしても、包装材１を幅方向に引っ張ることで、拡張フィルム部２０ｂが拡張する（引き伸ばされる）結果、摘持した部分（引っ張りの作用点Ｐａ）と内フィルム２０における米飯加工食品Ａに対する接触点Ｐｂとの距離が長くなるので、開封時に米飯加工食品Ａを挟み込む力が小さくなり、米飯加工食品Ａが型くずれしたり割れたりすることが抑制される。また、ハーフカットで内フィルム２０を破断（分離）させるときや、分離した内フィルム２０を引き抜くときには、分割された外フィルム１０が既に離間してシート状食品Ｂとの重なりが小さい状態或いは重なりが無い状態となるため、シート状食品Ｂが外フィルム１０と内フィルム２０とに挟まれた状態で幅方向に引っ張られることがなく、シート状食品Ｂが破れてしまうことも抑制される。
【００７５】
上記実施形態において、一枚のフィルムを曲げ加工することで、センターフィルム部２１０、拡張フィルム部２０ｂ、及びサイドフィルム部２０ｃを備えた内フィルム２０を作製するようにしたが、これに限定されるものではなく、例えば、センターフィルム部２１０、拡張フィルム部２０ｂ、サイドフィルム部２０ｃをそれぞれ別個のフィルムで構成し、これらを接続（例えば、ヒートシールや溶断等）して一つの内フィルム２０を形成してもよい。但し、このようにフィルムを接続すると接続部分での自由度が低くなり、周辺に引っ掛かったり変形が阻害されたりする確率が高くなるので、上記実施形態のように一枚のフィルムを曲げ加工することが好ましい。
【００７６】
上記実施形態において、一対の拡張フィルム部２０ｂ，２０ｂ同士が重ならないように折返部２１０（内向片部２１１、及び外向片部２１２）のサイズを設定したが、これに限定されるものではなく、例えば、センターフィルム部２０ａの中央部で一対の拡張フィルム部２０ｂ，２０ｂが重なるようにしても勿論よい。但し、拡張フィルム部２０ｂ，２０ｂが重なり合うとその部分の厚みが厚くなって包装時に二つ折りにしにくくなったり、包装時に長さ方向の両端部で形成される開口を閉塞するためにシールするのに溶着しにくくなったりするので、拡張フィルム２０ｂ，２０ｂは上記実施形態のように極力厚みが薄くなる態様で形成することが好ましい。
【００７７】
上記実施形態において、外フィルム１０に幅方向に分割すべく、外フィルム１０に対して切断補助手段として二本のカットテープ１００ａ，１００ｂを波状に設け、そのカットテープ１００ａ，１００ｂの間隔を長さ方向の中央部で最大間隔となる拡大部１０１を形成するようにしたが、これに限定されるものではなく、例えば、二本のカットテープ１００ａ，１００ｂを真っ直ぐ平行に設けてもよいし、一本のカットテープを切断補助手段として設けるようにしても勿論よい。
【００７８】
上記実施形態において、外フィルム用原反１０’と内フィルム用原反２０’とをシールして包装材用原反１’とした上で、長手方向で所定長さに切断して包装材１を作製するようにしたが、これに限定されるものではなく、例えば、外フィルム用原反１０’及び内フィルム用原反２０’のそれぞれを予め切断して外フィルム１０及び内フィルム２０を別個に作製しておき、該外フィルム１０と内フィルム２０とをシールして包装材１を作製するようにしても勿論よい。また、内フィルム用原反２０’を予め切断して内フィルム２０を作製しておき、外フィルム用原反１０’に対して内フィルム２０をシールし、外フィルム用原反１０’を切断して包装材１を作製するようにしても勿論よい。また、その逆であっても勿論よい。
【００７９】
上記実施形態において、内フィルム２０の拡張フィルム部２０ｂに折返部２００を設けることで、幅方向に拡張可能に構成したが、例えば、センターフィルム部２０ａ、拡張フィルム部２０ｂ及びサイドフィルム２０ｃをそれぞれ独立したフィルムで構成するとともに、拡張フィルム部２０ｂに引っ張りに対して延伸性の富むフィルムを採用し、センターフィルム部２０ａ、拡張フィルム部２０ｂ及びサイドフィルム２０ｃを幅方向に並列に配置した状態でそれぞれを接続して内フィルム２０を形成してもよい。このようにしても、幅方向の引っ張ったときに、拡張フィルム部２０ｂが幅方向に伸びて拡張することになるので、上記実施形態と同様の作用で内フィルム２０が米飯加工食品Ａを挟み込む力Ｆａ，Ｆａを小さくすることができ、米飯加工食品Ａの型くずれや割れを抑制することができる。
【００８０】
この場合、連続して横並びに配置されたセンターフィルム部２０ａ、拡張フィルム部２０ｂ及びサイドフィルム２０ｃのうち、拡張フィルム部２０ｂが幅方向に伸びるため、該拡張フィルム部２０ｂが米飯加工食品Ａに接触していると拡張時に米飯加工食品Ａに引っ張り力が作用して型くずれ等を発生させる可能性があるため、拡張フィルム部２０ｂは、包装される米飯加工食品Ａを躱すように配置することが好ましい。但し、センターフィルム部２０ａ、拡張フィルム部２０ｂ及びサイドフィルム２０ｃをそれぞれ独立したフィルムで構成すると、フィルム同士を接続する工程が必要とする上に、単一な材料で内フィルム２０を作製することができないため、製造コストの観点から、上記実施形態のように一枚のフィルムを曲げ加工して内フィルム２０を作製することが好ましい。
【図面の簡単な説明】
【００８１】
【図１】本発明の一実施形態に係る包装材で米飯加工食品を包装した状態の斜視図を示す。
【図２】同実施形態に係る包装材の分解斜視図を示す。
【図３】同実施形態に係る包装材の平面図であって、（ａ）は、外フィルム側から見た図を示し、（ｂ）は、内フィルム側から見た図を示す。
【図４】同実施形態に係る包装材の概略縦断面図を示す。
【図５】同実施形態に係る包装材の外フィルムを作製するための原反、及び内フィルムを作製するための原反の説明図であって、（ａ）は、外フィルム用原反の部分平面図を示し、（ｂ）は、内フィルム用原反の部分平面図を示す。
【図６】同実施形態に係る包装材の製造工程を説明するための概略斜視図を示す。
【図７】同実施形態に係る包装材で米飯加工食品を包装する際の工程図であって、（ａ）は、包装材の上に米飯加工食品を配置した状態の斜視図を示し、（ｂ）は、包装材を二つ折りにした状態の斜視図を示し、（ｃ）は、包装材の両側端部を折り曲げて対向する相手側とシールした状態の斜視図を示し、（ｄ）は、開口部分をシールして閉塞した状態（米飯加工食品を包装した状態）の斜視図を示す。
【図８】同実施形態に係る包装材を開封する際の工程図であって、（ａ）は、摘持部を引っ張って外フィルムを切断させている状態の斜視図を示し、（ｂ）は、外フィルムの一部を長さ方向に切除して外フィルムを幅方向に二分割した状態の斜視図を示し、（ｃ）は、包装材の端部の両端を引っ張ったときの初期の状態の斜視図を示し、（ｄ）は、内フィルムを米飯加工食品とシート状食品との間から引き抜いて米飯加工食品とシート状食品とを一体にした状態（包装材を開封した状態）の斜視図を示す。
【図９】同実施形態に係る包装材を幅方向に引っ張ったときの内フィルムの態様を説明するための説明図であって、（ａ）は、初期の状態を示し、（ｂ）は、拡張フィルム部が引き延ばされる途中の状態を示し、（ｃ）は、内フィルムが完全に引き延ばされた状態を示す。
【図１０】同実施形態に係る包装材の開封時（内フィルムが完全に引き延ばされたとき）に作用する力の関係を説明するための説明図を示す。
【図１１】本発明の他実施形態に係る包装材を模式的に表現した断面図を示す。
【図１２】従来の包装材で米飯加工食品を包装した状態の斜視図を示す。
【図１３】従来の包装材の分解斜視図を示す。
【図１４】従来の包装材の開封時に作用する力の関係を説明するための説明図を示す。
【符号の説明】
【００８２】
１…包装材、１’…包装材用原反、１０…外フィルム、１０’…外フィルム用原反、２０…内フィルム、２０’…内フィルム用原反、２０ａ…センターフィルム部、２０ａ’…センタ帯部、２０ｂ…拡張フィルム部、２０ｂ’…拡張部、２０ｃ…サイドフィルム部、２０ｃ’…サイド帯部、１００ａ，１００ｂ…切断補助手段（カットテープ）、１０１…拡大部、１０２…摘持部、１０３…切込部、１０４…外側切欠部、１０５…折込用外側切欠部、２００…破断補助手段（ハーフカット）、２０１…破断用切欠部、２０２…折込用内側切欠部、２１０…折返部、２１１…内向片部、２１２…外向片部、Ａ…米飯加工食品、Ｂ…シート状食品、ＣＬ…中心線、Ｆ１，Ｆ２…長尺フィルム、Ｌａ…第一の稜線、Ｌｂ…第二の稜線、Ｐａ…作用点、Ｐｂ…接触点、Ｓ…シート状食品
【図１】
0005069528.tif 000002
【図２】
0005069528.tif 000003
【図３】
0005069528.tif 000004
【図４】
0005069528.tif 000005
【図５】
0005069528.tif 000006
【図６】
0005069528.tif 000007
【図７】
0005069528.tif 000008
【図８】
0005069528.tif 000009
【図９】
0005069528.tif 000010
【図１０】
0005069528.tif 000011
【図１１】
0005069528.tif 000012
【図１２】
0005069528.tif 000013
【図１３】
0005069528.tif 000014
【図１４】
0005069528.tif 000015